(57)【要約】【課題】隙間が生じ難い便座を提供する。【解決手段】底板と、鉛直方向に沿って前記底板の上に設けられる側壁部と、前記側壁部によって支持される着座部と、を有する上板と、前記底板と前記側壁部とを接合し、外部に露出する露出面を有する接合部材と、を備えた便座において、前記露出面は、前記底板の中心面よりも下方に位置し、前記側壁部の中心面よりも外側に位置する。【選択図】図１
2018187349.tif 000002
【特許請求の範囲】
【請求項１】
底板と、
鉛直方向に沿って前記底板の上に設けられる側壁部と、前記側壁部によって支持される着座部と、を有する上板と、
前記底板と前記側壁部とを接合し、外部に露出する露出面を有する接合部材と、
を備え、
前記露出面は、前記底板の中心面よりも下方に位置し、前記側壁部の中心面よりも外側に位置する便座。
【請求項２】
前記底板と前記側壁部とが嵌合する嵌合部をさらに備え、
前記嵌合部は、前記底板の中心面よりも上方に位置し、前記側壁部の中心面よりも内側に位置する請求項１記載の便座。
【請求項３】
前記嵌合部は、前記側壁部の内壁の下端に設けられる請求項２記載の便座。
【請求項４】
前記底板は、
前記側壁部に下方から当接し、前記側壁部を下方から支持する支持部と、
前記支持部に対して外側に向けて突出した突出部と、
を有し、
前記側壁部の下端には、下方に延び、前記突出部と離間する垂下部が設けられ、
前記接合部材の少なくとも一部は、水平方向において、前記垂下部と前記支持部との間および前記垂下部と前記突出部との間に設けられ、
水平方向において、前記垂下部と前記突出部との間の距離は、前記垂下部と前記支持部との間の距離よりも短い請求項１〜３のいずれか１つに記載の便座。
【発明の詳細な説明】
【技術分野】
【０００１】
本発明の態様は、一般的に、便座に関する。
【背景技術】
【０００２】
便座は、例えば、臀部が接触する上板と、便器側に設けられる底板と、を接合することで構成される。特許文献１では、樹脂製部品同士の間に形成された通路に、接合用樹脂を充填することで、これらの樹脂製部品を接合する技術が開示されている。
【先行技術文献】
【特許文献】
【０００３】
【特許文献１】特許３７３３７７８号公報
【発明の概要】
【発明が解決しようとする課題】
【０００４】
トイレの使用者が便座に座ると、便座に荷重が加わり、上板と底板の接合部近傍に圧縮による応力と引っ張りによる応力が発生する。上板と底板を接合する接合部材は、上板および底板よりも強度が低い。特に、接合部材が外部に露出した露出面に過度の応力が加わると、上板と接合部材または底板と接合部材が剥離し、隙間が発生する可能性がある。便座に隙間が発生すると、この隙間に汚れが溜まる。隙間に溜まった汚れは、清掃時に除去することが容易ではない。従って、便座に隙間が発生すると、便座の清掃性が低下してしまう。
【０００５】
本発明は、かかる課題の認識に基づいてなされたものであり、隙間が生じ難い便座を提供することを目的とする。
【課題を解決するための手段】
【０００６】
第１の発明は、底板と、鉛直方向に沿って前記底板の上に設けられる側壁部と、前記側壁部によって支持される着座部と、を有する上板と、前記底板と前記側壁部とを接合し、外部に露出する露出面を有する接合部材と、を備え、前記露出面は、前記底板の中心面よりも下方に位置し、前記側壁部の中心面よりも外側に位置する便座である。
【０００７】
この便座によれば、着座部に荷重が加えられた際に、接合部材の露出面近傍で発生する応力を低減することができる。従って、接合部材の剥離を抑制し、底板と接合部材または上板と接合部材との隙間の発生を抑制することができる。
【０００８】
第２の発明は、第１の発明において、前記底板と前記側壁部とが嵌合する嵌合部をさらに備え、前記嵌合部は、前記底板の中心面よりも上方に位置し、前記側壁部の中心面よりも内側に位置する便座である。
【０００９】
この便座によれば、着座部に荷重が加えられた際に、接合部材の露出面近傍で発生する応力をさらに低減することができる。従って、底板と接合部材または上板と接合部材との隙間の発生をさらに抑制することが可能である。
【００１０】
第３の発明は、第２の発明において、前記嵌合部は、前記側壁部の内壁の下端に設けられる便座である。
【００１１】
この便座によれば、着座部に荷重が加えられた際に、接合部材の露出面近傍で発生する応力をより一層低減することができる。従って、底板と接合部材または上板と接合部材との隙間の発生をより一層抑制することが可能である。
【００１２】
第４の発明は、第１〜第３のいずれか１つの発明において、前記底板は、前記側壁部に下方から当接し、前記側壁部を下方から支持する支持部と、前記支持部に対して外側に向けて突出した突出部と、を有し、前記側壁部の下端には、下方に延び、前記突出部と離間する垂下部が設けられ、前記接合部材の少なくとも一部は、水平方向において、前記垂下部と前記支持部との間および前記垂下部と前記突出部との間に設けられ、水平方向において、前記垂下部と前記支持部との間の距離は、前記垂下部と前記支持部との間の距離よりも短い便座である。
【００１３】
この便座によれば、露出面がより外側に位置し、側壁部の中心面からの距離がより長くなる。このため、露出面に発生する応力をさらに緩和し、底板と接合部材または上板と接合部材との隙間の発生をさらに抑制することが可能である。
【発明の効果】
【００１４】
本発明の態様によれば、隙間が生じ難い便座を提供することが可能となる。
【図面の簡単な説明】
【００１５】
【図１】実施形態に係る便座を備えたトイレ装置を表す斜視図である。
【図２】実施形態に係る便座を表す分解斜視図である。
【図３】実施形態に係る便座の一部を表す斜視断面図である。
【図４】図３の断面の一部を拡大した断面図である。
【図５】図３の断面の一部を拡大した断面図である。
【図６】実施形態に係る便座の製造工程を表す断面図である。
【図７】便座の特性を示す断面図である。
【図８】実施形態に係る便座の底板を表す斜視図である。
【図９】実施形態の変形例に係る便座の一部を表す断面図である。
【図１０】実施形態の変形例に係る便座の一部を表す断面図である。
【図１１】実施形態の変形例に係る便座の一部を表す断面図である。
【図１２】実施形態の変形例に係る便座の一部を表す断面図である。
【図１３】実施形態の変形例に係る便座の一部を表す断面図である。
【図１４】実施形態の変形例に係る便座の一部を表す断面図である。
【図１５】実施形態の変形例に係る便座の一部を表す断面図である。
【図１６】実施形態の変形例に係る便座の一部を表す断面図である。
【図１７】実施形態の変形例に係る便座の一部を表す断面図である。
【発明を実施するための形態】
【００１６】
以下、本発明の実施形態について図面を参照しつつ説明する。なお、各図面中、同様の構成要素には同一の符号を付して詳細な説明は適宜省略する。  
【００１７】
図１は、実施形態に係る便座を備えたトイレ装置を表す斜視図である。  
図１に表したように、トイレ装置２は、便座装置４と、洋式腰掛便器（以下、単に「便器」という）６と、を備える。
【００１８】
便座装置４は、便器６の上に取り付けられる。便座装置４は、便器６に対して一体的に取り付けてもよいし、便器６に対して着脱可能に取り付けてもよい。便座装置４は、便座１０と、便蓋１２と、本体部１４と、を有する。
【００１９】
ここで、本願明細書においては、便座１０に座った使用者からみて上方を「上方」とし、便座１０に座った使用者からみて下方を「下方」とする。また、開いた状態の便蓋１２に背を向けて便座１０に座った使用者からみて左右方向を、それぞれ「左側方」および「右側方」とし、前後方向を、それぞれ「前方」および「後方」とする。図１には、上方ＵＷ、下方ＤＷ、左側方ＬＷ、右側方ＲＷ、前方ＦＷ、および後方ＢＷの一例が表されている。
【００２０】
便器６は、下方に向けて窪んだボウル部６ａを有する。便器６は、ボウル部６ａにおいて使用者の尿や便などの排泄物を受ける。便座装置４の本体部１４は、便器６のボウル部６ａよりも後方の上部に設けられる。本体部１４は、便座１０及び便蓋１２を開閉可能に軸支している。
【００２１】
便座１０は、開口部１０ａを有する。便座１０は、ボウル部６ａの外縁を囲むように便器６の上に設けられ、開口部１０ａを介してボウル部６ａが露呈される。これにより、使用者は、便座１０に座った状態でボウル部６ａに排泄を行うことができる。この例では、貫通孔状の開口部１０ａが形成された、いわゆるＯ型の便座１０を示している。便座１０は、Ｏ型に限ることなく、Ｕ字型などでもよい。便座１０の内部には、着座部（使用者の臀部が接する部分）を温めるヒータ等が適宜設けられる。
【００２２】
図２は、実施形態に係る便座を表す分解斜視図である。  
図３は、実施形態に係る便座の一部を表す斜視断面図である。  
【００２３】
図２及び図３に表したように、便座１０は、底板１００および上板２００を有する。上板２００は、底板１００の上に設けられ、底板１００と上板２００は、接合部材３１０および接合部材３２０によって接合されている。
【００２４】
以下で、便座１０のより具体的な構造について説明する。なお、ここでは、「上方」や「下方」などの方向は、便座１０の底板１００が水平面上に載置された状態を基準にしている。
【００２５】
図２に表したように、底板１００および上板２００は、それぞれ、開口部１００ａ及び開口部２００ａを有する。底板１００および上板２００を上方から見た形状は、便座１０を上方から見た形状と実質的に同じである。すなわち、底板１００および上板２００を上方から見た形状は、環状又はＵ字状である。底板１００の開口部１００ａおよび上板２００の開口部２００ａによって、便座１０の開口部１０ａが形成される。
【００２６】
底板１００は、内周支持部１１０、外周支持部１２０、および底板基部１３０を有する。底板基部１３０は、厚みが略一様であり、例えば、前部が水平方向に沿って設けられ、後部が上方に向かって傾斜している。底板基部１３０には、便器６の上面と接する支持足１３１が適宜設けられる。内周支持部１１０は、底板基部１３０に対して、便座１０の内周側に設けられている。外周支持部１２０は、底板基部１３０に対して、便座１０の外周側に設けられている。
【００２７】
上板２００は、内周側壁部２１０、外周側壁部２２０、および着座部２３０を有する。着座部２３０は、便座１０に着座した使用者の臀部を下方から支持する。着座部２３０は、内周側壁部２１０および外周側壁部２２０によって下方から支持されている。内周側壁部２１０は、着座部２３０に対して、便座１０の内周側に設けられている。外周側壁部２２０は、着座部２３０に対して、便座１０の外周側に設けられている。
【００２８】
図３に表したように、内周側壁部２１０および外周側壁部２２０は、それぞれ、内周支持部１１０および外周支持部１２０の上に設けられている。内周側壁部２１０の下端は、接合部材３１０によって内周支持部１１０と接合され、外周側壁部２２０の下端は、接合部材３２０によって外周支持部１２０と接合されている。
【００２９】
底板基部１３０と着座部２３０は、鉛直方向において離間している。また、内周側壁部２１０と外周側壁部２２０は、水平方向において離間している。これにより、便座１０には、底板１００および上板２００によって囲まれた内部空間Ｓが形成されている。
【００３０】
なお、便座１０がＵ字状である場合などは、内周支持部１１０と外周支持部１２０が底板基部１３０の周りで連なり、内周側壁部２１０と外周側壁部２２０が着座部２３０の周りで連なっていても良い。この場合、接合部材３１０と接合部材３２０は、底板基部１３０の周りで連続し、一体に設けられていても良い。
【００３１】
図４および図５は、図３の断面の一部を拡大した断面図である。
図４は、内周支持部１１０の一部および内周側壁部２１０の一部を表している。図５は、外周支持部１２０の一部および外周側壁部２２０の一部を表している。
【００３２】
ここで、本願明細書においては、内部空間Ｓから水平方向に沿って上板２００に向かう方向を「外側」とし、上板２００から水平方向に沿って内部空間Ｓに向かう方向を「内側」とする。図４では、内周側壁部２１０を基準として内側ＩＷおよび外側ＯＷを表し、図５では、外周側壁部２２０を基準として内側ＩＷおよび外側ＯＷを表している。
【００３３】
図４に表したように、内周支持部１１０は、内側リブ１１１および外側リブ１１２を有する。内周側壁部２１０は、側壁基部２１１、差込部２１２、垂下部２１３、および凹部２１４を有する。
【００３４】
内側リブ１１１および外側リブ１１２は、上方に向けて突出している。内側リブ１１１は、例えば内部空間Ｓに面している。外側リブ１１２は、内側リブ１１１の外側に設けられ、内側リブ１１１から離間している。これにより、内側リブ１１１と外側リブ１１２との間には、下方に向けて窪んだ凹部２１４が形成されている。
【００３５】
側壁基部２１１は、鉛直方向において厚みが略一定である。例えば、側壁基部２１１における厚みは、内周側壁部２１０の他の部分の厚みよりも大きい。差込部２１２は、側壁基部２１１の下方に位置し、内側リブ１１１と外側リブ１１２との間に設けられる。差込部２１２の下端の嵌合部４１０は、内側リブ１１１と外側リブ１１２との間に挟まれ、内周支持部１１０に当接する。すなわち、内周支持部１１０および内周側壁部２１０には、鉛直方向において嵌合する凹凸構造が設けられている。
【００３６】
着座部２３０に使用者が着座すると、荷重の一部は内周側壁部２１０に加わる。このとき、差込部２１２に伝わった荷重が、内周支持部１１０によって下方から支持される。突出部１４０は、内周支持部１１０よりも外側に位置し、内周支持部１１０に対して外側に向けて突出している。
【００３７】
垂下部２１３は、側壁基部２１１の下方に設けられ、下方に延びている。垂下部２１３は、差込部２１２よりも外側に設けられ、差込部２１２から離間している。これにより、差込部２１２と垂下部２１３との間に、上方に向けて窪んだ凹部２１４が形成されている。外側リブ１１２は、差込部２１２と垂下部２１３との間に設けられ、凹部２１４内に位置している。
【００３８】
突出部１４０は、凹部２１４の下方に位置し、凹部２１４と鉛直方向において離間している。垂下部２１３は、外側リブ１１２と水平方向において離間している。また、垂下部２１３の下端は、突出部１４０と水平方向において離間している。これらの部材が鉛直方向および水平方向において離間して形成された空間には、内周支持部１１０と内周側壁部２１０とを接合する接合部材３１０が設けられている。
【００３９】
接合部材３１０は、外部に露出した露出面３１０ａを有する。露出面３１０ａは、例えば、突出部１４０の底面および垂下部２１３の下端と同じ高さにあり、これらの間に設けられている。すなわち、突出部１４０の底面、露出面３１０ａ、および垂下部２１３の下端は、例えば、水平方向に沿って面一に設けられている。
【００４０】
露出面３１０ａは、底板１００の中心面Ｃ１よりも下方に位置する。中心面Ｃ１は、底板１００の厚みの中心点同士を結んで得られる面であり、例えば、厚みが略一様の底板基部１３０をもとにして得られる。
【００４１】
具体的には、中心面Ｃ１は、以下の方法により得られる。底板基部１３０は、内部空間Ｓに面する上面１３０ａと、外部に露出した底面１３０ｂと、を有する。上面１３０ａの任意の点と、当該点から最も近い底面１３０ｂの点と、を結び、この線分の中心点を求める。底板１００の周方向において、複数の中心点を同様に求める。複数の中心点同士を結んだ線分を、水平方向に延伸させることで中心面Ｃ１が得られる。
【００４２】
露出面３１０ａは、さらに、内周側壁部２１０の中心面Ｃ２よりも外側に位置する。中心面Ｃ２は、内周側壁部２１０において、厚みの中心点同士を結んで得られる面であり、例えば、厚みが略一様の側壁基部２１１をもとにして得られる。
【００４３】
具体的には、中心面Ｃ２は、以下の方法により得られる。側壁基部２１１は、内部空間Ｓに面する内面２１１ａと、外部に露出した外面２１１ｂと、を有する。内面２１１ａと外面２１１ｂは、鉛直方向と略平行である。内面２１１ａの任意の点と、当該点から最も近い外面２１１ｂの点と、を結び、この線分の中心点を求める。内周側壁部２１０の周方向において、複数の中心点を同様に求める。複数の中心点同士を結んだ線分を、鉛直方向に延伸させることで、鉛直方向に沿う中心面Ｃ２が得られる。
【００４４】
水平方向において、外側リブ１１２と垂下部２１３との間の距離Ｄ１は、凹部２１４の幅Ｗ１よりも短い。また、水平方向において、突出部１４０と垂下部２１３の下端との間の距離Ｄ２は、距離Ｄ１よりも短い。このため、接合部材３１０の水平方向における幅は、下方に向かうほど狭くなっている。
【００４５】
突出部１４０の先端面１４０ａは、例えば、外側に向かうほど下方に傾斜している。また、垂下部２１３の先端面２１３ａは、例えば、下方に向かうほど外側に傾斜している。このため、接合部材３１０の露出面３１０ａ近傍は、先端面１４０ａと先端面２１３ａとの間において、下方および外側に向かって設けられている。
【００４６】
図５に表したように、外周支持部１２０は、内側リブ１２１および外側リブ１２２を有する。外周側壁部２２０は、側壁基部２２１、差込部２２２、垂下部２２３、および凹部２２４を有する。外周支持部１２０および外周側壁部２２０の接合部材３２０近傍の構造は、例えば、内周支持部１１０および内周側壁部２１０の接合部材３１０近傍の構造と、それぞれ水平方向において実質的に対称である。
【００４７】
すなわち、差込部２２２の下端の嵌合部４２０は、内側リブ１２１および外側リブ１２２と嵌合され、差込部２２２が外周支持部１２０によって下方から支持される。突出部１５０は、外周支持部１２０よりも外側に位置し、これらの部分に対して外側に向けて突出している。
【００４８】
突出部１５０は、鉛直方向において凹部２２４から離間している。垂下部２２３は、外側リブ１２２および突出部１５０と水平方向において離間している。突出部１５０、外側リブ１２２、垂下部２２３、および凹部２２４に囲まれた空間には、外周支持部１２０と外周側壁部２２０とを接合する接合部材３２０が設けられている。
【００４９】
接合部材３２０は、外部に露出した露出面３２０ａを有する。露出面３２０ａは、例えば、突出部１５０の底面および垂下部２２３の下端と同じ高さにあり、これらの間に設けられている。すなわち、突出部１５０の底面、露出面３２０ａ、および垂下部２２３の下端は、例えば、水平方向に沿って面一に設けられている。
【００５０】
露出面３２０ａは、底板１００の中心面Ｃ１よりも下方に位置し、外周側壁部２２０の中心面Ｃ３よりも外側に位置する。中心面Ｃ３は、中心面Ｃ２と同様にして得られる。
【００５１】
すなわち、中心面Ｃ３は、以下の方法により得られる。側壁基部２２１は、内部空間Ｓに面する内面２２１ａと、外部に露出した外面２２１ｂと、を有する。内面２２１ａと外面２２１ｂは、鉛直方向と略平行である。内面２２１ａの任意の点と、当該点から最も近い外面２２１ｂの点と、を結び、この線分の中心点を求める。外周側壁部２２０の周方向において、複数の中心点を同様に求める。複数の中心点同士を結んだ線分を、鉛直方向に延伸させることで、鉛直方向に沿う中心面Ｃ３が得られる。
【００５２】
水平方向において、外側リブ１２２と垂下部２２３との間の距離Ｄ３は、凹部２２４の幅Ｗ２よりも短い。また、水平方向において、突出部１５０と垂下部２２３の下端との間の距離Ｄ４は、距離Ｄ３よりも短い。突出部１５０の先端面１５０ａは、例えば、外側に向かうほど下方に傾斜している。また、垂下部２２３の先端面２２３ａは、例えば、下方に向かうほど外側に傾斜している。
【００５３】
底板１００、上板２００、接合部材３１０、および接合部材３２０は、例えば、ポリプロピレン、ＡＢＳ（Acrylonitrile-Butadiene-Styrene）、またはＰＢＴ（Polybutylene Terephthalate）、またはポリカーボネート系複合材料などを含む。
【００５４】
図６は、実施形態に係る便座の製造工程を表す断面図である。図６では、内周支持部１１０の一部および内周側壁部２１０の一部を表している。
【００５５】
上述した通り、外周支持部１２０および外周側壁部２２０の接合部材３２０近傍の構造は、例えば、内周支持部１１０および内周側壁部２１０の接合部材３１０近傍の構造と、それぞれ実質的に同様である。このため、ここでは内周支持部１１０の一部および内周側壁部２１０の一部を例に挙げて、便座１０の製造工程を説明する。
【００５６】
まず、着座部２３０を下にして上板２００を載置し、上板２００の上に底板１００を配する。このとき、図６に表したように、内周側壁部２１０の嵌合部４１０が内周支持部１１０に当接し、突出部１４０と垂下部２１３との間に隙間が出来るように、内周支持部１１０を内周側壁部２１０の上に配する。
【００５７】
この状態で、金型Ｍ１を上板２００の側方に配するとともに、金型Ｍ２により底板１００を上方から押圧する。金型Ｍ２には、接合部材３１０としての樹脂を注入するためのゲートＧが設けられている。このゲートＧが、突出部１４０と垂下部２１３との隙間に位置するように、金型Ｍ２を上板２００の上に配する。
【００５８】
この状態で、突出部１４０と垂下部２１３との隙間に、加熱した樹脂をゲートＧから注入する。加熱された樹脂が隙間に注入されると、底板１００および上板２００の樹脂と接する面が熱によって溶融し、樹脂と混ざり合う。その後、樹脂が冷えて硬化することで、底板１００と上板２００が接合される。底板１００と上板２００の接合後は、垂下部２１３の先端の面取りや、樹脂のバリ取りなどが適宜行われても良い。以上により、実施形態に係る便座１０が作製される。
【００５９】
ここで、本実施形態の効果について、図７を参照しつつ説明する。
図７は、便座の特性を示す断面図である。図７では、着座部２３０に対して下方に向けて荷重が加えられた際に、最も大きい圧縮による応力（最大圧縮応力）および最も大きい引っ張りによる応力（最大引張応力）が発生する領域が模式的に表されている。
【００６０】
ここでは、図７を参照しつつ、内周支持部１１０および内周側壁部２１０の構造による効果と、外周支持部１２０および外周側壁部２２０の構造による効果と、をまとめて説明する。
【００６１】
使用者の着座等により着座部２３０に荷重が加えられると、底板１００の上側および側壁部２１０（２２０）の内側には、圧縮応力が発生する。また、底板１００の下側および側壁部２１０（２２０）の外側には、引張応力が発生する。この引張応力は、図７に表したように、支持部１１０（１２０）および側壁部２１０（２２０）では、それぞれ、底面および外面近傍で最も大きい。そして、支持部１１０（１２０）と側壁部２１０（２２０）が接合された箇所では、おおよそ、中心面Ｃ１と中心面Ｃ２（Ｃ３）との交点を通るように、最大引張応力が発生する点が湾曲している。
【００６２】
このとき、最大引張応力が発生する領域に接合部材３１０（３２０）の露出面３１０ａ（３２０ａ）が位置していると、便座１０に荷重が加えられた際に、接合部材３１０（３２０）が底板１００および側壁部２１０（２２０）から剥離し易くなり、接合部材３１０（３２０）と側壁部２１０（２２０）との間および接合部材３１０（３２０）と底板１００との間に隙間が生じ易くなる。隙間が生じると、その隙間の中に汚れが溜まり、便座１０の清掃性が低下してしまう。
【００６３】
この課題に対して、本実施形態に係る便座１０では、露出面３１０ａ（３２０ａ）が、底板１００の中心面Ｃ１よりも下方に位置し、側壁部２１０（２２０）の中心面Ｃ２（Ｃ３）よりも外側に位置している。すなわち、露出面３１０ａ（３２０ａ）は、より引張応力が小さい領域に設けられている。こうすることで、便座１０に荷重が加えられた際に、接合部材３１０（３２０）の剥離が生じ難くなり、露出面３１０ａ（３２０ａ）の周りにおける隙間の発生を抑制することができる。従って、本実施形態によれば、便座１０をより清潔に保ち、隙間の発生による便座１０の清掃性の低下を抑制することが可能となる。
【００６４】
嵌合部４１０（４２０）の位置は、適宜変更することができる。例えば、嵌合部４１０（４２０）が、中心面Ｃ１よりも下方に位置し、中心面Ｃ２（Ｃ３）よりも外側に位置していても良い。
【００６５】
ただし、嵌合部４１０（４２０）が中心面Ｃ１よりも下方に位置していると、嵌合部４１０（４２０）が当接する支持部１１０（１２０）の厚みが小さくなり、支持部１１０（１２０）の強度が低下する可能性がある。また、嵌合部４１０（４２０）が設けられる位置は、圧縮応力が発生する位置および引張応力が発生する位置に影響する。具体的には、嵌合部４１０（４２０）が設けられている領域では、より大きな圧縮応力が発生し、嵌合部４１０（４２０）の下方及び外側では、引張応力が大きくなる傾向にある。このため、嵌合部４１０（４２０）が、中心面Ｃ１よりも下方に位置する、または中心面Ｃ２（Ｃ３）よりも外側に位置し、嵌合部４１０（４２０）と露出面３１０ａ（３２０ａ）との距離が近い場合、露出面３１０ａ（３２０ａ）に発生する引張応力が大きくなる可能性がある。
従って、嵌合部４１０（４２０）は、中心面Ｃ１よりも上方に位置し、中心面Ｃ２（Ｃ３）よりも内側に位置することが望ましい。このような構成によれば、支持部１１０（１２０）の厚みを大きくして強度を向上させつつ、露出面３１０ａ（３２０ａ）に発生する引張応力をより一層緩和することができる。すなわち、露出面３１０ａ（３２０ａ）の周りにおける隙間の発生をより一層抑制することが可能となる。
【００６６】
特に、嵌合部４１０（４２０）が、図４および図５に表したように、側壁部２１０（２２０）の内壁２１０ａ（２２０ａ）の下端に設けられていることで、支持部１１０（１２０）と側壁部２１０（２２０）の接触面に発生する応力を効果的に緩和させることができる。
【００６７】
露出面３１０ａ（３２０ａ）の周りにおける隙間の発生をさらに抑制するためには、露出面３１０ａ（３２０ａ）と中心面Ｃ２（Ｃ３）との間の距離がより長いことが望ましい。そこで、図４および図５に表したように、突出部１４０（１５０）を設けることで、露出面３１０ａ（３２０ａ）をより外側に位置させることが可能となる。さらに、突出部１４０（１５０）を設けることで、露出面３１０ａ（３２０ａ）の幅を狭くすることができる。露出面３１０ａ（３２０ａ）の幅が狭くなることで、突出部１４０（１５０）と垂下部２１３（２２３）との間に樹脂を注入した際に、注入された樹脂が冷え難くなり、より長い時間、樹脂が熱された状態で底板１００および上板２００と接する。これにより、底板１００と上板２００との接合強度を向上させることができる。
【００６８】
また、突出部１４０（１５０）の先端面１４０ａ（１５０ａ）は、外側に向かうほど、下方に傾斜していることが望ましい。図４および図５に表したように、距離Ｄ１（Ｄ３）は、距離Ｄ２（Ｄ４）よりも長く、接合部材３１０（３２０）は、内側ほど、幅が広くなっている。従って、先端面１４０ａ（１５０ａ）が外側に向かうほど下方に傾斜していると、先端面１４０ａ（１５０ａ）が鉛直方向に平行である場合に比べて、支持部１１０（１２０）と垂下部２１３（２２３）との間へ接合部材３１０（３２０）を設け易くなる。また、この構成によれば、接合部材３１０（３２０）の垂下部２１３（２２３）と支持部１１０（１２０）との間でボイドが発生しても、ボイドと露出面３１０ａ（３２０ａ）との距離を長くすることができ、露出面３１０ａおよび露出面３２０ａにおけるヒケの影響を抑制できる。さらに、接合部材３１０（３２０）と、支持部１１０（１２０）および側壁部２１０（２２０）と、の接合面の面積を増加させることができるため、接合面に加わる応力をより分散できる。このため、支持部１１０（１２０）と側壁部２１０（２２０）との間の接合強度を向上させることが可能となる。
【００６９】
以上で説明した内周支持部１１０および内周側壁部２１０は、便座１０の全内周に亘って接合部材３１０によって接合されていても良いし、内周支持部１１０の一部と内周側壁部２１０の一部が接合部材３１０によって接合されていても良い。また、便座１０の全内周に亘って接合部材３１０が設けられる場合、露出面３１０ａの全てが中心面Ｃ１よりも下方かつ中心面Ｃ２よりも外側に位置していても良いし、露出面３１０ａの一部のみが中心面Ｃ１よりも下方かつ中心面Ｃ２よりも外側に位置していても良い。ただし、内周支持部１１０と内周側壁部２１０の接合強度を向上させるためには、便座１０の全内周に亘って接合部材３１０が設けられていることが望ましい。また、便座１０における隙間の発生をより確実に抑制するためには、露出面３１０ａの全てが中心面Ｃ１よりも下方かつ中心面Ｃ２よりも外側に位置することが望ましい。
【００７０】
同様に、接合部材３２０は、便座１０の外周の一部のみ設けられていても良いし、外周の全てに設けられていても良い。露出面３２０ａの全てが中心面Ｃ１よりも下方かつ中心面Ｃ３よりも外側に位置していても良いし、露出面３２０ａの一部のみが中心面Ｃ１よりも下方かつ中心面Ｃ３よりも外側に位置していても良い。ただし、外周支持部１２０と外周側壁部２２０の接合強度を向上させるためには、便座１０の全外周に亘って接合部材３２０が設けられていることが望ましい。また、便座１０における隙間の発生をより確実に抑制するためには、露出面３２０ａの全てが中心面Ｃ１よりも下方かつ中心面Ｃ３よりも外側に位置することが望ましい。
【００７１】
ここで、図８を参照しつつ、本実施形態に係る便座のより望ましい態様を説明する。
図８は、実施形態に係る便座の底板を表す斜視図である。
底板１００は、例えば図８に表したように、側部１０１および前部１０２を有する。側部１０１は、底板１００の開口１００ａの側方に位置し、前部１０２は、開口１００ａの前方に位置する。側部１０１は、例えば、便座１０に使用者が着座した際に、使用者の脚（太腿）の下方に位置する。
【００７２】
側部１０１および前部１０２には、上述したように、支持足１３１が設けられる。支持足１３１は、互いに離間して、便座１０の周方向に複数設けられる。便座１０に使用者が着座した際、底板１００に加えられた荷重は、支持足１３１から便器６に伝わる。例えば、支持足１３１近傍で発生する応力は、支持足１３１同士の中間部分で発生する応力よりも大きくなりやすい。
【００７３】
従って、本実施形態は、少なくとも、接合部材３１０のうち、底板１００の支持足１３１近傍と上板２００とを接合している部分の露出面３１０ａが、中心面Ｃ１よりも下方に位置し、中心面Ｃ２よりも外側に位置していることが望ましい。
同様に、本実施形態は、少なくとも、接合部材３２０のうち、底板１００の支持足１３１近傍と上板２００とを接合している部分の露出面３２０ａが、中心面Ｃ１よりも下方に位置し、中心面Ｃ３よりも外側に位置していることが望ましい。
より大きな応力が発生し易い部分に設けられた露出面３１０ａおよび露出面３２０ａに対して、本実施形態を適用することで、これらの露出面に発生する応力を低減し、便座１０における隙間の発生を効果的に抑制することが可能となる。
【００７４】
また、使用者の着座時、体重が掛かる側部１０１では、前部１０２よりも、支持足１３１近傍に発生する応力が、さらに大きくなる。
従って、本実施形態は、少なくとも、接合部材３１０および接合部材３２０のうち、側部１０１の支持足１３１近傍と上板２００とを接合している部分の露出面３１０ａおよび露出面３２０ｂに対して適用されることがより望ましい。こうすることで、便座１０における隙間の発生をより効果的に抑制することが可能となる。  
【００７５】
なお、図８では、便座１０がＯ型である場合について説明したが、便座１０はＵ字型等であっても良い。便座１０がＵ字型である場合、底板１００は前部１０２を有しない。しかし、便座１０がＯ字型である場合と同様に、便座１０に使用者が着座した際に、側部１０１には大きな荷重が加わる。
【００７６】
実施形態に係る便座１０の構造は、上述した例に限定されず、種々の変形が可能である。
図９〜図１７は、実施形態の変形例に係る便座の一部を表す断面図である。図９〜図１５では、変形例に係る便座において、内周支持部１１０の一部および内周側壁部２１０の一部を表している。図１６（ａ）および図１７（ａ）では、変形例に係る便座において、内周支持部１１０の一部および内周側壁部２１０の一部を表し、図１６（ｂ）および図１７（ｂ）では、外周支持部１２０の一部および外周側壁部２２０の一部を表している。
以降の変形例の説明では、内周支持部１１０および内周側壁部２１０についてのみ説明するが、これらの構造は、外周支持部１２０および外周側壁部２２０に対しても同様の適用することが可能である。
【００７７】
図９（ａ）に表したように、内周支持部１１０において、外側リブ１１２が設けられていなくても良い。または、内周支持部１１０において、外側リブ１１２に代えて内側リブ１１１が設けられていなくても良い。ただし、便座１０に荷重が加えられた際に、内周支持部１１０および内周側壁部２１０における応力の集中を効果的に緩和するためには、内側リブ１１１および外側リブ１１２の両方を設けることが望ましい。
【００７８】
図９（ｂ）に表したように、垂下部２１３は、突出部１４０の上方に位置していても良い。この場合、鉛直方向において、突出部１４０と垂下部２１３との間の距離は、突出部１４０と凹部２１４との間の距離よりも短い。また、露出面３１０ａは、例えば、内周側壁部２１０の外壁２１０ｂおよび突出部１４０の先端面１４０ａと、鉛直方向に沿って面一に設けられる。
【００７９】
図９（ｂ）に表した構造においても、接合部材３１０の露出面３１０ａは、底板１００の中心面Ｃ１よりも下方に位置し、側壁部２１０の中心面Ｃ２よりも外側に位置する。このため、図４および図５に表した構造と同様に、露出面３１０ａ（３２０ａ）の周りに隙間を発生し難くなる。
【００８０】
図１０（ａ）および図１０（ｂ）に表したように、底板１００は、水平方向に対して傾斜して設けられていても良い。例えば、図１０（ａ）に表したように、底板１００は、内側に向けて上方に傾斜していても良い。または、図１０（ｂ）に表したように、底板１００は、内側に向けて下方に傾斜していても良い。これら構造の場合、底板１００の中心面Ｃ１も水平方向に対して傾斜する。
【００８１】
図１１（ａ）に表したように、垂下部２１３の先端は、傾斜していても良い。図１１（ｂ）に表したように、垂下部２１３の先端は、湾曲していても良い。図１２（ａ）に表したように、突出部１４０の先端、垂下部２１３の先端、および接合部材３１０の露出面３１０ａは、水平方向および鉛直方向に対して傾斜し、面一であっても良い。または、図１２（ｂ）に表したように、突出部１４０の先端、垂下部２１３の先端、および接合部材３１０の露出面３１０ａが湾曲し、底板の底面１００ｂおよび側壁部２１０の外壁２１０ｂと滑らかに連続していても良い。
【００８２】
あるいは、図１３（ａ）に表したように、図１２（ａ）に表した構造において、さらに、底板１００が内側に向けて上方に傾斜していても良い。または、図１３（ｂ）に表したように、図１２（ａ）に表した構造において、さらに、底板１００が内側に向けて下方に傾斜していても良い。図１３（ａ）および図１３（ｂ）に表した構造において、図１２（ｂ）に表したように、露出面３１０ａが湾曲していても良い。
【００８３】
上述した各便座１０の構造では、嵌合部４１０が、内周側壁部２１０に設けられていた。これに対して、図１４に表したように、嵌合部４１０が内周支持部１１０に設けられていても良い。
【００８４】
具体的には、内周支持部１１０は、差込部１１３を有し、内周側壁部２１０は、垂下部２１３、内側リブ２１５、および外側リブ２１６を有する。内側リブ２１５は、例えば内部空間Ｓに面している。外側リブ２１６は、内側リブ２１５の外側に設けられている。差込部１１３は、内側リブ２１５と外側リブ２１６との間に設けられ、差込部１１３の上端の嵌合部４１０は、側壁部２１０に当接している。接合部材３１０は、内周支持部１１０、突出部１４０、垂下部２１３、および外側リブ２１６で囲われている。
【００８５】
なお、上述したように、内周支持部１１０および内周側壁部２１０に発生する応力を効果的に低減するためには、嵌合部４１０は、中心面Ｃ１よりも上方に位置し、中心面Ｃ２よりも内側に位置することが望ましい。ただし、このとき、嵌合部４１０近傍には、大きな圧縮応力が発生する。この圧縮応力による損傷を防ぐためには、内側リブ２１５の厚み（便座１０の周方向に垂直な方向における寸法）が大きく、内側リブ２１５の強度が高いことが望ましい。しかし、内側リブ２１５の厚みが大きくなると、内周側壁部２１０の厚みも増加する。内周側壁部２１０の厚みが増加すると、便座１０内部に暖房装置が設けられた場合に暖房機能が低下したり、便座１０や内部空間Ｓに入れることができる部材の大きさや機能が制約されたりする。
【００８６】
従って、嵌合部４１０は、例えば図４に表したように、内周側壁部２１０に設けられていることが望ましい。この場合、内周支持部１１０に、内側リブ１１１および外側リブ１１２の少なくともいずれかが設けられるが、これらのリブの厚みの増加は、底板１００の水平方向における寸法に実質的な影響を与えないためである。
【００８７】
図１５に表したように、内周支持部１１０および内周側壁部２１０の両方が差込部を有していても良い。具体的には、内周支持部１１０は、内側リブ１１１、外側リブ１１２、および差込部１１３を有する。差込部１１３は、内側リブ１１１と外側リブ１１２との間に位置し、これらのリブから離間している。内周側壁部２１０は、差込部２１２ａ、差込部２１２ｂ、垂下部２１３、および凹部２１４を有する。すなわち、内周側壁部２１０は、複数の差込部を有する。
【００８８】
差込部２１２ａは、内側リブ１１１と差込部１１３との間に設けられ、差込部２１２ｂは、差込部１１３と外側リブ１１２との間に設けられる。差込部２１２ａの下端の嵌合部４１０ａおよび差込部２１２ｂの下端の嵌合部４１０ｂは、内周支持部１１０に当接し、内周支持部１１０によって下方から支持されている。
【００８９】
なお、図１５に表した構造に限らず、内周支持部１１０に複数の差込部が設けられていても良い。または、内周支持部１１０および内周側壁部２１０の両方に、複数の差込部が設けられていても良い。これらの構造において、内周側壁部２１０の各差込部の下端の嵌合部は、それぞれ、中心面Ｃ１よりも上方に位置し、中心面Ｃ２よりも内側に位置することが望ましい。
【００９０】
図１６（ａ）に表したように、内周支持部１１０に、垂下部２１３に向けて側方に突出する凸部Ｐ１が設けられていても良い。凸部Ｐ１は、例えば、外側リブ１１２の側面に設けられる。垂下部２１３に、内周支持部１１０に向けて側方に突出する凸部Ｐ２が設けられていても良い。例えば、凸部Ｐ１と凸部Ｐ２とは、水平方向において対向している。
【００９１】
凸部Ｐ１および凸部Ｐ２が設けられていることで、底板１００および上板２００が接合部材３１０から剥離した場合でも、凸部Ｐ１および凸部Ｐ２が接合部材３１０に引っ掛かる。これにより、底板１００および上板２００が、接合部材３１０に対して上下方向へ移動して接合部材３１０から分離することを抑制できる。
【００９２】
同様に、図１６（ｂ）に表したように、外周支持部１２０には、垂下部２２３に向けて側方に突出する凸部Ｐ３が設けられていても良い。垂下部２２３に、外周支持部１２０に向けて側方に突出する凸部Ｐ４が設けられていても良い。
【００９３】
または、図１７（ａ）に表したように、内周支持部１１０に、側方に向けて窪んだ凹部Ｒ１が設けられていても良い。凹部Ｒ１は、例えば、外側リブ１１２の側面に設けられる。垂下部２１３に、側方に向けて窪んだ凹部Ｒ２が設けられていても良い。例えば、凹部Ｒ１と凹部Ｒ２とは、水平方向において対向している。凹部Ｒ１の内側および凹部Ｒ２の内側には、接合部材３１０の一部が設けられている。
【００９４】
凹部Ｒ１および凹部Ｒ２が設けられていることで、底板１００および上板２００が接合部材３１０から剥離した場合でも、凹部Ｒ１の内側および凹部Ｒ２の内側に設けられた接合部材３１０が、底板１００および上板２００に引っ掛かる。これにより、底板１００および上板２００が、接合部材３１０に対して上下方向へ移動して接合部材３１０から分離することを抑制できる。
【００９５】
同様に、図１７（ｂ）に表したように、外周支持部１２０に、側方に向けて窪んだ凹部Ｒ３が設けられていても良い。垂下部２２３に、側方に向けて窪んだ凹部Ｒ４が設けられていても良い。
【００９６】
以上で説明した例は、適宜組み合わせて実施することが可能である。例えば、図１１（ａ）、図１１（ｂ）、図１２（ａ）、または図１２（ｂ）に表した、傾斜面または湾曲面が、図１０（ａ）または図１０（ｂ）に表した構造において設けられていても良い。例えば、図１１（ａ）、図１１（ｂ）、図１２（ａ）、または図１２（ｂ）に表した傾斜面または湾曲面を有する構造において、図９（ａ）、図９（ｂ）、図１４、または図１５に表した構造を有する嵌合部が設けられていても良い。
【００９７】
以上で説明した例に限らず、本実施形態に係る便座１０は、露出面３１０ａ（３２０ａ）が中心面Ｃ１よりも下方にあり、且つ中心面Ｃ２（Ｃ３）よりも外側にあれば、各構成要素の形状や構造、寸法を適宜変更することが可能である。
【００９８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、底板１００および上板２００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９９】
２ トイレ装置、  ４ 便座装置、  ６ 便器、  ６ａ ボウル部、  １０ 便座、  １０ａ 開口部、  １２ 便蓋、  １４ 本体部、  １００ 底板、  １０１ 側部、  １０２ 前部、  １００ａ 開口部、  １００ｂ 底面、  １１０ 内周支持部、  １１１ 内側リブ、  １１２ 外側リブ、  １１３ 差込部、  １２０ 外周支持部、  １２１ 内側リブ、  １２２ 外側リブ、  １３０ 底板基部、  １３０ａ 上面、  １３０ｂ 底面、  １３１ 支持足、  １４０ 突出部、  １４０ａ 先端面、  １５０ 突出部、  １５０ａ 先端面、  ２００ 上板、  ２００ａ 開口部、  ２１０ 内周側壁部、  ２１０ａ 内壁、  ２１０ｂ 外壁、  ２１１ 側壁基部、  ２１１ａ 内面、  ２１１ｂ 外面、  ２１２ 差込部、  ２１２ａ 差込部、  ２１２ｂ 差込部、  ２１３ 垂下部、  ２１３ａ 先端面、  ２１４ 凹部、  ２１５ 内側リブ、  ２１６ 外側リブ、  ２２０ 外周側壁部、  ２２１ 側壁基部、  ２２１ａ 内面、  ２２１ｂ 外面、  ２２２ 差込部、  ２２３ 垂下部、  ２２３ａ 先端面、  ２２４ 凹部、  ２３０ 着座部、  ３１０ 接合部材、  ３１０ａ 露出面、  ３２０ 接合部材、  ３２０ａ 露出面、  ４１０、４１０ａ、４１０ｂ、４２０ 嵌合部、  Ｃ１〜Ｃ３ 中心面、  Ｄ１〜Ｄ４ 距離、  Ｇ ゲート、  Ｍ１、Ｍ２ 金型、  Ｐ１〜Ｐ４ 凸部、  Ｒ１〜Ｒ４ 凹部、  Ｓ 内部空間、  Ｗ１、Ｗ２ 幅
【図１】
2018187349.tif 000003
【図２】
2018187349.tif 000004
【図３】
2018187349.tif 000005
【図４】
2018187349.tif 000006
【図５】
2018187349.tif 000007
【図６】
2018187349.tif 000008
【図７】
2018187349.tif 000009
【図８】
2018187349.tif 000010
【図９】
2018187349.tif 000011
【図１０】
2018187349.tif 000012
【図１１】
2018187349.tif 000013
【図１２】
2018187349.tif 000014
【図１３】
2018187349.tif 000015
【図１４】
2018187349.tif 000016
【図１５】
2018187349.tif 000017
【図１６】
2018187349.tif 000018
【図１７】
2018187349.tif 000019